(57)【要約】【課題】  既設のＯＰＧＷに対する接続作業などを安定して行うことを可能にするＯＰＧＷ用足場を提供する。【解決手段】  作業者が乗るための足場板２と、足場板２の基端部を鉄塔Ｔに取り付ける足場板取付金具３と、足場板２の自由端部と支持線１２０とを連結して足場板２を支持する足場板支持柱４と、足場板２の側縁部から上方に延びて配設される側壁フレーム体５と、側壁フレーム体５の上端部と支持線１２０とを連結して側壁フレーム体５を支持するフレーム支持ユニット６と、足場板２に配設可能な作業台７と作業椅子８とを備える。【選択図】  図１
2008245345.tif 000002
【特許請求の範囲】
【請求項１】
鉄塔間に架設されたＯＰＧＷに対して接続作業などの作業を行うためのＯＰＧＷ用足場であって、
作業者が乗るための足場板と、
前記足場板の長手方向の一端部である基端部を前記鉄塔に取り付ける取付手段と、
前記基端部と対向する前記足場板の自由端部と、前記鉄塔に架設された架線とを連結して前記足場板を支持する足場板支持手段と、
前記足場板に配設可能で、前記作業を行うための作業台と、を備えることを特徴とするＯＰＧＷ用足場。
【請求項２】
前記足場板支持手段は伸縮自在であり、前記架線の傾斜に応じて伸縮させることで前記足場板を水平に支持することを特徴とする請求項１に記載のＯＰＧＷ用足場。
【請求項３】
前記足場板の長手方向に延びる側縁部から上方に延びて配設される側壁体と、
前記側壁体の上端部と前記架線とを連結して前記側壁体を支持する側壁支持手段と、を備えることを特徴とする請求項１または２のいずれか１項に記載のＯＰＧＷ用足場。
【請求項４】
前記側壁支持手段は伸縮自在であり、前記架線の傾斜に応じて伸縮させることで前記側壁体を水平に支持することを特徴とする請求項３に記載のＯＰＧＷ用足場。
【請求項５】
前記作業台は、前記足場板の両側縁部に配設され対向する前記側壁体に架設されることで前記足場板に配設され、
前記対向する側壁体に架設され、作業者が座るための作業椅子を備えることを特徴とする請求項３または４のいずれか１項に記載のＯＰＧＷ用足場。
【請求項６】
前記側壁体は、
棒状で水平に延びる底片と、棒状で前記底片の両端部から上方に延びる垂直片とを有し、前記足場板に着脱可能で、前記足場板の短尺方向である幅方向に前記底片を配置することで前記両垂直片が前記足場板の両側縁部から上方に延びるフレームと、
前記フレームを前記足場板の長手方向に沿って複数配設した状態で、隣接する前記垂直片を着脱可能に連結する連結部材と、を備えることを特徴とする請求項３〜５のいずれか１項に記載のＯＰＧＷ用足場。
【請求項７】
前記足場板の長手方向に延びる側縁部と前記架線との間を覆い、開閉可能な遮へい手段を備えることを特徴とする請求項１〜６のいずれか１項に記載のＯＰＧＷ用足場。
【請求項８】
鉄塔間に架設されたＯＰＧＷに内蔵された光ファイバを外部の光ファイバと接続するＯＰＧＷの接続方法であって、
前記外部の光ファイバと接続したい位置において、切断した前記ＯＰＧＷの端部同士を先端部に余長を残して支持線によって連結し、
作業者が乗るための足場板と、前記接続を行うための作業台とを備えたＯＰＧＷ用足場を、前記足場板が水平に位置するように、前記鉄塔と前記支持線とに架設、または前記鉄塔と前記ＯＰＧＷとに架設し、
前記ＯＰＧＷ用足場の作業台上で、前記切断したＯＰＧＷの光ファイバと前記外部の光ファイバとを接続することを特徴とするＯＰＧＷの接続方法。
【請求項９】
鉄塔間に架設されたＯＰＧＷに内蔵された光ファイバを外部の光ファイバと接続するＯＰＧＷの接続方法であって、
前記外部の光ファイバと接続したい位置において、作業者が乗るための足場板と、前記接続を行うための作業台とを備えたＯＰＧＷ用足場を、前記足場板が水平に位置するように、前記鉄塔と前記ＯＰＧＷとに架設し、
前記外部の光ファイバと接続したい位置において、前記ＯＰＧＷに支持線を平行に連結し、
前記支持線が連結された間において前記ＯＰＧＷを切断し、
前記ＯＰＧＷ用足場の作業台上で、前記切断したＯＰＧＷの光ファイバと前記外部の光ファイバとを接続することを特徴とするＯＰＧＷの接続方法。
【発明の詳細な説明】
【技術分野】
【０００１】
この発明は、既設の光ファイバ複合架空地線（ＯＰＧＷ：ＯＰｔｉｃａｌ  Ｇｒｏｕｎｄ  Ｗｉｒｅ、以下、「ＯＰＧＷ」という）に対して接続作業などを行うためのＯＰＧＷ用足場および、既設のＯＰＧＷに内蔵された光ファイバを外部の光ファイバと接続するＯＰＧＷの接続方法に関する。
【背景技術】
【０００２】
ＯＰＧＷは、雷遮へいを目的として送電線の上方に架設される架空地線（架空送電線）に、光ファイバを内蔵して、通信機能を付加したものである。このＯＰＧＷは、高い送電線鉄塔の頂部間などに張られた状態で、例えば数百キロメートルという長距離に渡って架設される。すなわち、例えば数キロメートルのＯＰＧＷが巻かれたドラムからＯＰＧＷを引き出しながら、鉄塔の頂部間にＯＰＧＷを架設する。そして、例えば特許文献１に記載されたような接続箱を介してＯＰＧＷの端部同士を接続し、ＯＰＧＷを長距離に渡って架設するものである。また、ＯＰＧＷの端部同士を接続する際に、接続箱内にＯＰＧＷの光ファイバの余長を確保することで、外部の光ファイバ（光ケーブル）と接続可能となる。
【０００３】
一方、停電事故などによる系統分断や再接続などの作業を送電線鉄塔上で行うための足場が知られている（例えば、特許文献２参照。）。この足場は、足場板の一方の端部に垂直に延びる足場主柱が設けられ、他方の端部に垂直に延びる吊り下げ具が設けられている。そして、足場主柱の上端部を鉄塔の腕金に掛け、吊り下げ具の上端部を送電線に掛けることで、鉄塔の腕金と送電線の下方に足場板が吊り下げられるものである。
【特許文献１】特開平１１−２７１５５５号公報
【特許文献２】特開２０００−３２４６３２号公報
【発明の開示】
【発明が解決しようとする課題】
【０００４】
ところで、ＯＰＧＷに内蔵された光ファイバは、当初、電力設備の情報などを伝送することを主目的として利用されてきた。これに対し、本発明者は、高速通信をより普及させるには、ＯＰＧＷの光ファイバを公衆のインターネット回線や電話回線として活用することが有効であると考えた。そして、そのためには、光通信を行いたい需要家側の通信装置（外部）からの光ファイバ（光ケーブル）とＯＰＧＷの光ファイバとを接続する必要がある。すなわち、高い送電線鉄塔の頂部間に架設されたＯＰＧＷに対して、任意の位置で接続作業などを行う必要がある。
【０００５】
しかしながら、送電線鉄塔の頂部は高所で風塵が強く、しかも光ファイバ同士の接続は極めて精密な作業と時間とを要するため、安定した状態で作業を行う必要がある。これに対し、上記特許文献２に記載されたような足場では、足場主柱と吊り下げ具のみを介して、鉄塔の腕金と送電線の下方に足場板が吊り下げられた状態となる。このため、風塵などが強い環境下では、このような足場板に乗っての作業は不安定、困難であり、特に、精密で長時間を要する作業は極めて困難である。この結果、既設のＯＰＧＷの光ファイバを任意の位置で外部の光ファイバと接続することができず、光通信を行いたい需要家に対してＯＰＧＷの光ファイバを提供する（利用可能にする）ことが現実的に困難な状況にあった。
【０００６】
そこでこの発明は、既設のＯＰＧＷに対する接続作業などを安定して行うことを可能にするＯＰＧＷ用足場および、既設のＯＰＧＷに内蔵された光ファイバを外部の光ファイバと接続することを可能にするＯＰＧＷの接続方法を提供することを目的とする。
【課題を解決するための手段】
【０００７】
上記目的を達成するために請求項１に記載の発明は、鉄塔間に架設されたＯＰＧＷに対して接続作業などの作業を行うためのＯＰＧＷ用足場であって、作業者が乗るための足場板と、前記足場板の長手方向の一端部である基端部を前記鉄塔に取り付ける取付手段と、前記基端部と対向する前記足場板の自由端部と、前記鉄塔に架設された架線とを連結して前記足場板を支持する足場板支持手段と、前記足場板に配設可能で、前記作業を行うための作業台と、を備えることを特徴とする。
（作用）
取付手段によって足場板の基端部を鉄塔に取り付け、足場板支持手段によって足場板の自由端部を鉄塔に架設された架線で支持することで、足場板が鉄塔と架線とに架設される。
【０００８】
請求項２に記載の発明は、請求項１に記載のＯＰＧＷ用足場において、前記足場板支持手段は伸縮自在であり、前記架線の傾斜に応じて伸縮させることで前記足場板を水平に支持することを特徴とする。
【０００９】
請求項３に記載の発明は、請求項１または２のいずれか１項に記載のＯＰＧＷ用足場において、前記足場板の長手方向に延びる側縁部から上方に延びて配設される側壁体と、前記側壁体の上端部と前記架線とを連結して前記側壁体を支持する側壁支持手段と、を備えることを特徴とする。
【００１０】
請求項４に記載の発明は、請求項３に記載のＯＰＧＷ用足場において、前記側壁支持手段は伸縮自在であり、前記架線の傾斜に応じて伸縮させることで前記側壁体を水平に支持することを特徴とする。
【００１１】
請求項５に記載の発明は、請求項３または４のいずれか１項に記載のＯＰＧＷ用足場において、前記作業台は、前記足場板の両側縁部に配設され対向する前記側壁体に架設されることで前記足場板に配設され、前記対向する側壁体に架設され、作業者が座るための作業椅子を備えることを特徴とする。
【００１２】
請求項６に記載の発明は、請求項３〜５のいずれか１項に記載のＯＰＧＷ用足場において、前記側壁体は、棒状で水平に延びる底片と、棒状で前記底片の両端部から上方に延びる垂直片とを有し、前記足場板に着脱可能で、前記足場板の短尺方向である幅方向に前記底片を配置することで前記両垂直片が前記足場板の両側縁部から上方に延びるフレームと、前記フレームを前記足場板の長手方向に沿って複数配設した状態で、隣接する前記垂直片を着脱可能に連結する連結部材と、を備えることを特徴とする。
（作用）
フレームを足場板の長手方向に沿って複数配設し、隣接する垂直片を連結部材で連結することで、隣接するフレームが連結され、複数のフレームが一体化する。
【００１３】
請求項７に記載の発明は、請求項１〜６のいずれか１項に記載のＯＰＧＷ用足場において、前記足場板の長手方向に延びる側縁部と前記架線との間を覆い、開閉可能な遮へい手段を備えることを特徴とする。
（作用）
遮へい手段を開けることで、足場板の側縁部と架線との間が開放され、遮へい手段を閉じることで、足場板の側縁部と架線との間が遮へいされる。
【００１４】
請求項８に記載の発明は、鉄塔間に架設されたＯＰＧＷに内蔵された光ファイバを外部の光ファイバと接続するＯＰＧＷの接続方法であって、前記外部の光ファイバと接続したい位置において、切断した前記ＯＰＧＷの端部同士を先端部に余長を残して支持線によって連結し、作業者が乗るための足場板と、前記接続を行うための作業台とを備えたＯＰＧＷ用足場を、前記足場板が水平に位置するように、前記鉄塔と前記支持線とに架設、または前記鉄塔と前記ＯＰＧＷとに架設し、前記ＯＰＧＷ用足場の作業台上で、前記切断したＯＰＧＷの光ファイバと前記外部の光ファイバとを接続することを特徴とする。
【００１５】
請求項９に記載の発明は、鉄塔間に架設されたＯＰＧＷに内蔵された光ファイバを外部の光ファイバと接続するＯＰＧＷの接続方法であって、前記外部の光ファイバと接続したい位置において、作業者が乗るための足場板と、前記接続を行うための作業台とを備えたＯＰＧＷ用足場を、前記足場板が水平に位置するように、前記鉄塔と前記ＯＰＧＷとに架設し、前記外部の光ファイバと接続したい位置において、前記ＯＰＧＷに支持線を平行に連結し、前記支持線が連結された間において前記ＯＰＧＷを切断し、前記ＯＰＧＷ用足場の作業台上で、前記切断したＯＰＧＷの光ファイバと前記外部の光ファイバとを接続することを特徴とする。
【発明の効果】
【００１６】
請求項１に記載の発明によれば、足場板の基端部が鉄塔に直接取り付けられ、自由端部が架線で支持された状態で足場板が配設されるため、足場板の配設が安定する。そして、この安定した足場板に作業台を配設することで、安定した作業台の上でＯＰＧＷの接続作業などを行うことができる。つまり、高い鉄塔間に架設されたＯＰＧＷに対する接続作業などを安定して行うことが可能となる。
【００１７】
請求項２に記載の発明によれば、足場板支持手段を伸縮させることで、架線が傾斜していても足場板が水平に支持されるため、常に水平な足場板上で接続作業などを安定して行うことができる。
【００１８】
請求項３に記載の発明によれば、足場板の側縁部に側壁体を配設することで、足場板の側方がガード（保護）されるため、足場板上で安定、安心して作業を行うことができる。しかも、側壁体の上端部が側壁支持手段を介して架線に支持されるため、側壁体の配設が安定化し、より安定、安心して作業を行うことができる。
【００１９】
請求項４に記載の発明によれば、側壁支持手段を伸縮させることで、架線が傾斜していても側壁体が水平に支持されるため、常に水平な側壁体でガードされた状態で、安定、安心して作業を行うことができる。
【００２０】
請求項５に記載の発明によれば、対向する側壁体に作業台を架設することで、対向する側壁体が作業台を介して連結された状態となり、作業台および側壁体の配設が安定する。同様に、対向する側壁体に作業椅子を架設することで、対向する側壁体が作業椅子を介して連結された状態となり、作業椅子および側壁体の配設が安定する。そして、安定した作業椅子に座って、安定した作業台の上で接続作業などを安定して行うことができるとともに、長時間の作業にも対応することが可能となる。
【００２１】
請求項６に記載の発明によれば、フレームが足場板に着脱可能であり、連結部材がフレームの垂直片に着脱可能なため、足場板とフレームと連結部材とを別体の状態で鉄塔の頂部などに運ぶことができる。この結果、運搬性や取扱性が向上するとともに、保管スペースの縮小化が可能となる。
【００２２】
請求項７に記載の発明によれば、遮へい手段を閉じることで、高い鉄塔の頂部でも強い風塵などを遮ることができ、接続作業などを安定して行うことができる。一方、遮へい手段を開けることで、広い空間が確保されるため、広い空間を要する作業を行うことができる。
【００２３】
請求項８および９に記載の発明によれば、ＯＰＧＷ用足場を鉄塔と支持線とに架設、または鉄塔とＯＰＧＷとに架設し、ＯＰＧＷ用足場の作業台上で、切断したＯＰＧＷの光ファイバと外部の光ファイバとを接続することで、ＯＰＧＷを切断した位置で、つまり任意の位置で、既設のＯＰＧＷの光ファイバを外部の光ファイバと接続することができる。
【発明を実施するための最良の形態】
【００２４】
以下、この発明を図示の実施の形態に基づいて説明する。
【００２５】
（実施の形態１）
図１は、この実施の形態に係るＯＰＧＷ用足場１を配設した状態を示す斜視図である。このＯＰＧＷ用足場１は、送電線鉄塔Ｔ間に架設されたＯＰＧＷ１００に対して接続作業などを行うための足場であり、主として、足場板２と、足場板取付金具（取付手段）３と、足場板支持柱（足場板支持手段）４と、側壁フレーム体（側壁体）５と、フレーム支持ユニット（側壁支持手段）６と、作業台７と、作業椅子８と、足場ネット（遮へい手段）９とを備えている。
【００２６】
足場板２は、作業者が乗るための基台であり、図２に示すように梯子状で、長手方向に延びる２本の垂直バー２１と、垂直バー２１を連結する複数の水平バー２２とを備え、両垂直バー２１に、断面がＬ字状のフレーム固定板２３が、対向して複数配設されている。このフレーム固定板２３は、後述するフレーム５１を取り付けるための板であり、フレーム５１の配設ピッチに合わせて、つまり後述する連結バー５２の長さに合わせて、フレーム固定板２３の配設ピッチも設定されている。また、フレーム固定板２３には、フレーム５１をねじ止めするための雌ネジ（図示せず）が形成されている。
【００２７】
足場板取付金具３は、足場板２の長手方向の一端部である基端部を鉄塔Ｔに取り付ける（固定する）ための金具であり、図２に示すように、断面がＬ字状の取付基部３１と、リング状の把持部３２とを備えている。取付基部３１は、鉄塔Ｔの塔体Ｔ１に取り付ける座部であり、塔体Ｔ１にボルト締めするためのボルト挿入孔３１ａが形成されている。把持部３２は、取付基部３１の水平面部３１ｂに、連結棒３３を介して連結されている。この把持部３２は、足場板２の基端部である垂直バー２１の端部を把持するものであり、リングの内形状が垂直バー２１の断面形状とほぼ同形に形成されている。そして、垂直バー２１の端部を把持部３２に挿入した状態で、垂直バー２１の端部を固定するためのボルト３４が設けられている。
【００２８】
足場板支持柱４は、足場板２の基端部と対向する自由端部と、鉄塔Ｔに架設された支持線（架線）１２０とを連結して足場板２を支持する柱である。すなわち、円柱状の柱部４１の下端部が、足場板２の自由端部側（先端側）の水平バー２２に回動自在に取り付けられ、柱部４１の上端部には、支持線１２０に掛けるためのフック４２が取り付けられている。また、柱部４１は、第１の柱部４１ａと第２の柱部４１ｂとの二重構造となっており、第１の柱部４１ａに対して第２の柱部４１ｂを進退させることで、柱部４１が伸縮自在となっている。これにより、支持線１２０の傾斜に応じて柱部４１を伸縮させることで、足場板２を水平に支持できるものである。
【００２９】
側壁フレーム体５は、複数のフレーム５１と連結バー５２とから構成されている。フレーム５１は、断面が四角い棒材で構成され、図３に示すようなコ字状で、水平に延びる底片５１ａと、底片５１ａの両端部から上方に延びる垂直片５１ｂとを有している。底片５１ａの長さは、対向するフレーム固定板２３、２３間に静合（嵌合）するように設定され、両垂直片５１ｂの上部の両側には、断面がコ字状で連結バー５２を装着するための連結片５３が配設されている。また、垂直片５１ｂの下部には、フレーム固定板２３にねじ止めするためのボルト挿入孔（図示せず）が形成され、ボルトの締結、解除によって、足場板２に着脱可能となっている。そして、足場板２の短尺方向である幅方向に、つまり対向するフレーム固定板２３、２３間に底片５１ａを配置することで、両垂直片５１ｂが足場板２の両側縁部、つまり両垂直バー２１から垂直上方に延びるようになっている。
【００３０】
連結バー５２は、フレーム５１を上記のようにして足場板２の長手方向に沿って複数配設した状態で、隣接する垂直片５１ｂを連結する連結部材である。この連結バー５２は、図４に示すように、断面が四角い棒材で構成された棒体で、端部を垂直片５１ｂの連結片５３に装着、取り外しすることで、フレーム５１に着脱可能となっている。そして、隣接する垂直片５１ｂの連結片５３、５３間に連結バー５２を架設することで、隣接する垂直片５１ｂが連結され、隣接するフレーム５１が一体化される。一方、連結バー５２を連結片５３から取り外すことで、垂直片５１ｂ（フレーム５１）の連結が解除されるものである。
【００３１】
フレーム支持ユニット６は、側壁フレーム体５のフレーム５１の上端部と支持線１２０とを連結して側壁フレーム体５を支持する支持手段であり、支持ワイヤ６１と、支持線クランプ６２と、伸縮クランプ６３とを備えている。支持線クランプ６２は、支持線１２０を把持するクランプであり、この支持線クランプ６２を介して支持ワイヤ６１の両端部が、それぞれフレーム５１の垂直片５１ｂの上端に固着されている。また、支持ワイヤ６１は、第１のワイヤ６１ａと第２のワイヤ６１ｂとから構成され、伸縮自在な伸縮クランプ６３によって連結されている。そして、伸縮クランプ６３を伸縮させることで支持ワイヤ６１が伸縮し、支持線１２０の傾斜に応じて支持ワイヤ６１を伸縮させることで、側壁フレーム体５を水平に支持できるようになっている。
【００３２】
作業台７は、作業を行うための台で、図５に示すように、テーブル部７１と４つの脚部７２とから構成されている。テーブル部７１は略正方形の平板状で、このテーブル部７１の対向する２辺から、それぞれ２つの垂直上方に延びる脚部７２が一体的に形成され、さらに、各脚部７２の上端部に、コ字状に曲げられたフック部７２ａが形成されている。テーブル部７１の大きさとフック部７２ａの形状は、上記のようにして配設された側壁フレーム体５の対向する連結バー５２（後述する足場ネット９の取付部９２）にフック部７２ａを掛けられるように、設定されている。そして、このようにしてフック部７２ａを掛けて作業台７を側壁フレーム体５に架設することで、作業台７を足場板２に配設できるものである。また、このような配設状態で、後述するような融着接続などの作業がし易い高さにテーブル部７１が位置するように、脚部７２の長さが設定されている。
【００３３】
作業椅子８は、作業者が座るための椅子で、図６に示すように、座部８１と２つの脚部８２とから構成されている。座部８１は長方形の平板状で、この座部８１の対向する各短辺から、垂直上方に延びる脚部８２が一体的に形成され、さらに、各脚部８２の上端部に、コ字状に曲げられたフック部８２ａが形成されている。座部８１の長辺の長さとフック部８２ａの形状は、上記のようにして配設された側壁フレーム体５の対向する連結バー５２（後述する足場ネット９の取付部９２）にフック部８２ａを掛けられるように、設定されている。そして、このようにしてフック部８２ａを掛けて作業椅子８を側壁フレーム体５に架設することで、作業椅子８を足場板２に配設できるものである。また、このような配設状態で、作業椅子８に座って上記の作業台７上で作業がし易い高さに座部８１が位置するように、脚部８２の長さが設定されている。
【００３４】
足場ネット９は、足場板２の長手方向に延びる側縁部である垂直バー２１と支持線１２０との間を覆う網体で、ネット部９１と取付部９２とから構成されている。ネット部９１は、図７に示すように、長方形の網で、短辺の長さは、側壁フレーム体５の連結バー５２とほぼ同寸法、つまりフレーム５１の配設ピッチ間隔とほぼ同寸法に設定されている。また、長辺の長さは、後述するようにして足場ネット９を配設した状態で、ネット部９１が一方の連結バー５２と垂直バー２１との間、対向する垂直バー２１、２１の間、さらには他方の連結バー５２と垂直バー２１との間を覆うように設定されている。取付部９２は、連結バー５２に掛けられるように断面がコ字状の棒体で、長手方向がネット部９１の短辺に沿うように、ネット部９１の両短辺に配設されている。そして、両取付部９２を対向する連結バー５２に掛けて、ネット部９１を垂直バー２１などに仮止めすることで、足場ネット９が配設され（閉じられ）、連結バー５２と垂直バー２１との間などが遮へいされた状態となる。一方、ネット部９１の仮止めを外して取付部９２を連結バー５２から取り外すことで、足場ネット９が外され（開けられ）、連結バー５２と垂直バー２１との間などが開放された状態となる。
【００３５】
次に、このような構成のＯＰＧＷ用足場１の組立方法および、このＯＰＧＷ用足場１を用いて既設のＯＰＧＷ１００に内蔵された光ファイバを外部の光ケーブル１１０内の光ファイバと接続する接続方法について説明する。ここで、ＯＰＧＷ１００が送電線鉄塔Ｔの頂部間に張られた状態で架設されている場合について、説明する。
【００３６】
まず、図８に示すように、外部の光ケーブル１１０と接続したい位置において、ＯＰＧＷ１００に支持線１２０を平行に配設する。すなわち、光通信を行いたい需要家側の通信装置（外部）からの光ケーブル１１０を接続したい位置において、支持線１２０をＯＰＧＷ１００と平行に配置し、支持線１２０の両端部をＯＰＧＷクランプ１２１によってＯＰＧＷ１００に連結する。次に、図９に示すように、支持線１２０を配設した間においてＯＰＧＷ１００を切断する。これにより、切断されたＯＰＧＷ１００の端部同士が、先端部に余長を残して支持線１２０によって連結された状態となる。ここで、ＯＰＧＷ１００を切断しても、鉄塔Ｔからの支持部材によってＯＰＧＷ１００が支持される場合などには、ＯＰＧＷ１００を切断した後に、切断したＯＰＧＷ１００の端部同士を先端部に余長を残して支持線１２０で連結してもよい。一方、外部の光ケーブル１１０を送電線鉄塔Ｔの頂部まで引き上げる。
【００３７】
続いて、足場板２が水平に位置するように、ＯＰＧＷ用足場１を鉄塔Ｔと支持線１２０とに架設する。すなわち、まず、足場板２や足場板取付金具３などの部材を鉄塔Ｔの頂部に運び、図１０に示すように、足場板支持柱４のフック４２を支持線１２０に掛けた状態で、足場板２の足場板支持柱４側をＯＰＧＷクランプ１２１側に押し進める。次に、上記のように、鉄塔Ｔの塔体Ｔ１に取り付けた足場板取付金具３の把持部３２によって、垂直バー２１の端部を把持する。続いて、側壁フレーム体５を足場板２に配設する。すなわち、上記のようにしてフレーム５１を足場板２の長手方向に沿って複数配設し、隣接する垂直片５１ｂを連結バー５２で連結するとともに、フレーム支持ユニット６の支持線クランプ６２で支持線１２０を把持する。さらに、上記のようにして、足場ネット９を配設し、その上から作業台７と作業椅子８とを配設する。そして、支持線１２０が傾斜している場合には、足場板支持柱４の柱部４１およびフレーム支持ユニット６の支持ワイヤ６１を伸縮させて、足場板２および側壁フレーム体５を水平に位置させる。
【００３８】
次に、ＯＰＧＷ用足場１の作業椅子８に座って作業台７上で、切断したＯＰＧＷ１００の光ファイバと光ケーブル１１０の光ファイバとを接続する。すなわち、接続箱（クロージャ）や接続機器を作業台７にのせ、接続箱にＯＰＧＷ１００と光ケーブル１１０とを引き込んで双方の光ファイバ同士を融着接続する。そして、光ファイバの余長や光ファイバの接続部などを接続箱に収納する。
【００３９】
以上のように、このＯＰＧＷ用足場１によれば、足場板２の基端部が鉄塔Ｔに直接取り付けられ、自由端部が支持線１２０で支持された状態で足場板２が配設されるため、足場板２の配設が安定する。しかも、支持線１２０が傾斜していても、上記のようにして足場板２が常に水平に支持される。そして、この安定かつ水平な足場板２に作業台７が配設されているため、安定かつ水平な作業台７の上で光ファイバの融着作業などを行うことができる。また、側壁フレーム体５によって足場板２の側方がガード（保護）されるため、足場板２上で安定かつ安心して作業を行うことができる。しかも、側壁フレーム体５が常に水平になるように支持されるため、安定かつ水平な側壁フレーム体５でガードされた状態で、安定かつ安心して作業を行うことができる。さらに、作業台７と作業椅子８とが側壁フレーム体５に架設されているため、対向する連結バー５２が作業台７および作業椅子８を介して連結された状態となり、作業台７、作業椅子８および側壁フレーム体５の配設が安定する。以上のような安定、水平かつ安心なＯＰＧＷ用足場１によって、高い鉄塔Ｔ間に架設されたＯＰＧＷ１００に対する接続作業などを安定、安心して行うことが可能となる。そして、クレーンや高所作業車などを使用できない山間部などにおいても、ＯＰＧＷ１００の接続作業などを行うことが可能となる。
【００４０】
また、側壁フレーム体５や作業台７、作業椅子８などが足場板２に対して組立式であるため、足場板２などの各部材を別体の状態で鉄塔Ｔの頂部などに運ぶことができる。このため、運搬性や取扱性が向上するとともに、保管スペースの縮小化が可能となる。さらに、足場ネット９を配設することで、高い鉄塔Ｔの頂部でも物の落下などを防ぐことができ、作業を安心して行うことができる。
【００４１】
一方、以上のようなＯＰＧＷ１００の接続方法によれば、ＯＰＧＷ用足場１を鉄塔Ｔと支持線１２０とに架設し、ＯＰＧＷ用足場１上で切断したＯＰＧＷ１００の光ファイバと外部の光ファイバとを接続することで、ＯＰＧＷ１００を切断した位置で、つまり任意の位置で、既設のＯＰＧＷ１００の光ファイバを外部の光ファイバと接続することができる。
【００４２】
（実施の形態２）
図１１は、この実施の形態に係るＯＰＧＷ用足場１１を配設した状態を示す斜視図である。この実施の形態では、遮へい手段が実施の形態１と異なり、実施の形態１と同等の構成については、同一符号を付して説明する。
【００４３】
このＯＰＧＷ用足場１１の遮へい手段は、ロールカーテン（ロールスクリーン）１２で構成されている。このロールカーテン１２は、図１２に示すように、シート状のカーテン１２ａが巻かれた状態でケース１２ｂに収納され、カーテン１２ａを引っ張るとカーテン１２ａが展開され（閉じ）、離すと展開した状態が維持される。さらに、展開した状態から引っ張って離すと、カーテン１２ａがケース１２ｂに収納される（開く）ようになっている。また、カーテン１２ａの幅は、側壁フレーム体５のフレーム５１の配設ピッチ、つまり連結バー５２の長さとほぼ同寸法に設定されている。
【００４４】
このようなロールカーテン１２が、足場板２の一方の垂直バー２１に、連結バー５２と並行するように取り付けられている。そして、カーテン１２ａを引っ張って、直上の連結バー５２、支持線１２０および対向する連結バー５２を介して、他方の垂直バー２１に係止させることで、図１３に示すように、足場板２の垂直バー２１と支持線１２０との間がすべてカーテン１２ａによって遮へいされる。また、垂直バー２１への係止を解除してカーテン１２ａを引っ張ることで、カーテン１２ａがケース１２ｂに収納されて、垂直バー２１と支持線１２０との間が開放されるものである。
【００４５】
このようなＯＰＧＷ用接続箱１１によれば、ロールカーテン１２を閉じることで、高い鉄塔Ｔの頂部でも強い風塵などを遮ることができ、接続作業などを安定して行うことができる。しかも、垂直バー２１と支持線１２０との間がすべてカーテン１２ａによって遮へいされるため、つまり、両壁と天井とかカーテン１２ａによって形成されるため、より安定して作業を行うことが可能となる。一方、ロールカーテン１２を開けることで、広い空間が確保されるため、広い空間を要する作業を行うことができる。また、カーテン１２ａを引っ張るだけで開閉ができるため、操作が簡単で、鉄塔Ｔの頂部でも容易に行える。
【００４６】
（実施の形態３）
この実施の形態では、ＯＰＧＷ１００の接続方法が実施の形態１と異なり、実施の形態１と同等の構成については、同一符号を付して説明する。また、この実施の形態に係るＯＰＧＷ用足場１３は、フレーム支持ユニット６を備えていない。
【００４７】
この実施の形態では、まず、外部の光ケーブル１１０と接続したい位置において、図１４に示すように、ＯＰＧＷ用足場１３を鉄塔ＴとＯＰＧＷ（架線）１００とに架設する。すなわち、実施の形態１と同様に、足場板２を鉄塔ＴとＯＰＧＷ１００とに架設し、足場板２に側壁フレーム体５や作業台７、作業椅子８などを配設する。次に、ＯＰＧＷ用足場１３上で、図１５に示すように、ＯＰＧＷ１００に支持線１２０を平行に配設する。続いて、図１６に示すように、支持線１２０を配設した間においてＯＰＧＷ１００を切断する。そして、ＯＰＧＷ用足場１３の作業椅子８に座って作業台７上で、切断したＯＰＧＷ１００の光ファイバと外部の光ケーブル１１０の光ファイバとを接続するものである。
【００４８】
以上のような接続方法によれば、ＯＰＧＷ用足場１３上で支持線１２０の配設やＯＰＧＷ１００の切断などを行うため、これらの作業を安定、安全に行うことができる。なお、外部の光ケーブル１１０との接続位置や、必要とする光ファイバの余長の長さなどに応じて、鉄塔Ｔの両側にＯＰＧＷ用足場１３を架設して、両ＯＰＧＷ用足場１３上で作業を行うようにしてもよい。
【００４９】
以上、この発明の実施の形態について説明したが、具体的な構成は、これらの実施の形態に限られるものではなく、この発明の要旨を逸脱しない範囲の設計の変更等があっても、この発明に含まれる。例えば、足場板２を梯子状でなく平板状にしてもよく、側壁体（側壁フレーム体５）を平板状の壁板で構成してもよい。また、実施の形態１において、ＯＰＧＷ用足場１を鉄塔ＴとＯＰＧＷ１００とに架設してもよい。
【図面の簡単な説明】
【００５０】
【図１】この発明の実施の形態１に係るＯＰＧＷ用足場を配設した状態を示す斜視図である。
【図２】図１のＯＰＧＷ用足場の足場板と足場板取付金具と足場板支持柱を示す斜視図である。
【図３】図１のＯＰＧＷ用足場の側壁フレーム体とフレーム支持ユニットを示す斜視図である。
【図４】図３の側壁フレーム体の連結バーを示す斜視図である。
【図５】図１のＯＰＧＷ用足場の作業台を示す斜視図である。
【図６】図１のＯＰＧＷ用足場の作業椅子を示す斜視図である。
【図７】図１のＯＰＧＷ用接続箱の足場ネットを示す斜視図である。
【図８】この発明の実施の形態１において、ＯＰＧＷに支持線を平行に配設した状態を示す図である。
【図９】図８の状態からＯＰＧＷを切断した状態を示す図である。
【図１０】図９の状態から図２の足場板の先端側をＯＰＧＷクランプ側に押し進めている状態を示す斜視図である。
【図１１】この発明の実施の形態２に係るＯＰＧＷ用足場を配設した状態を示す斜視図である。
【図１２】図１１のＯＰＧＷ用足場のロールカーテンを示す斜視図である。
【図１３】図１２のロールカーテンを閉じた状態のＯＰＧＷ用足場を示す斜視図である。
【図１４】この発明の実施の形態３において、ＯＰＧＷ用足場を鉄塔とＯＰＧＷとに架設した状態を示す斜視図である。
【図１５】図１４の状態からＯＰＧＷに支持線を平行に配設した状態を示す斜視図である。
【図１６】図１５の状態からＯＰＧＷを切断した状態を示す斜視図である。
【符号の説明】
【００５１】
１          ＯＰＧＷ用足場
２          足場板
３          足場板取付金具（取付手段）
４          足場板支持柱（足場板支持手段）
４２        フック
５          側壁フレーム体（側壁体）
５１        フレーム
５２        連結バー（連結部材）
６          フレーム支持ユニット（側壁支持手段）
６１        支持ワイヤ
６２        支持線クランプ
６３        伸縮クランプ
７          作業台
８          作業椅子
９          足場ネット（遮へい手段）
１１        ＯＰＧＷ用足場
１２        ロールカーテン（遮へい手段）
１３        ＯＰＧＷ用足場
１００      ＯＰＧＷ（架線）
１１０      外部の光ケーブル
１２０      支持線（架線）
１２１      ＯＰＧＷクランプ
Ｔ          送電線鉄塔
【図１】
2008245345.tif 000003
【図２】
2008245345.tif 000004
【図３】
2008245345.tif 000005
【図４】
2008245345.tif 000006
【図５】
2008245345.tif 000007
【図６】
2008245345.tif 000008
【図７】
2008245345.tif 000009
【図８】
2008245345.tif 000010
【図９】
2008245345.tif 000011
【図１０】
2008245345.tif 000012
【図１１】
2008245345.tif 000013
【図１２】
2008245345.tif 000014
【図１４】
2008245345.tif 000015
【図１５】
2008245345.tif 000016
【図１６】
2008245345.tif 000017
【図１３】
2008245345.tif 000018